【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
２つ以上の装置間における、あるデータレートでの無線通信方法であって、
ａ）前記データレートでの通信の要求を受信するステップと、
ｂ）前記データレートを達成するのに必要な、ＯＦＤＭサブチャネルの最小個数と、各サブチャネルのエネルギー閾値とを決定するステップと、
ｃ）ＯＦＤＭサブチャネルのセットを選択するステップと、
ｄ）送信機を前記セット内の１つ又は複数のサブチャネルに同調させるステップと、
ｅ）前記サブチャネルのセットからの１つ又は複数のサブチャネル上でエネルギー検出を実行するステップと、
ｆ）エネルギーレベルが前記閾値を超えるすべてのサブチャネルを前記サブチャネルのセットから放棄するステップと、
ｇ）ステップｆ）における放棄の後、前記セット内のサブチャネルの個数を前記決定されたサブチャネルの最小個数と比較するステップと、
ｈ）ステップｇ）における比較が、前記セットが前記サブチャネルの最小個数よりも少ない個数のサブチャネルを含むことを示す場合、１つ又は複数のサブチャネルを前記サブチャネルのセットに追加するステップと、
ｉ）セットが前記サブチャネルの最小個数を含むことをステップｇ）における比較が示すまで、ステップ（ｆ）〜（ｈ）を繰り返すステップと、
ｊ）前記サブチャネルのセットからなるチャネル上で送信を行うステップと
を含む、方法。
【請求項２】
ステップ（ｃ）において選択される前記サブチャネルのセットは、少なくとも、前記データレートを達成するのに必要な前記最小個数のサブチャネルを含む、請求項１に記載の方法。
【請求項３】
ステップ（ｅ）における前記エネルギー検出は、ステップ（ｃ）において選択された前記サブチャネルのセット全体に対して実行される、請求項１に記載の方法。
【請求項４】
前記２つ以上の装置は送信機及び受信機を含み、前記受信機が、ステップ（ｃ）〜（ｉ）を実行することによって、使用される前記サブチャネルのセットを決定する、請求項１に記載の方法。
【請求項５】
前記２つ以上の装置は送信機及び受信機を含み、前記送信機は、該送信機が選択した前記サブチャネルのセットを示す信号を前記受信機に送信する、請求項１に記載の方法。
【請求項６】
前記選択されたサブチャネルの識別情報を所定の周波数で受信機に送信するステップをさらに含む、請求項１に記載の方法。
【請求項７】
データを送信する無線通信システムであって、複数のＯＦＤＭサブキャリアを共有する複数の計算装置を含み、前記計算装置の各々は送信のためのデータレートを規定するアプリケーションを実行し、前記無線通信システムは、
前記複数の計算装置の各々において、
ａ）前記データレートでの通信の要求を受信し、前記データレートを達成するのに必要なＯＦＤＭサブキャリアの最小個数と、ＯＦＤＭサブキャリアが利用可能か否かを決定するためのエネルギー閾値とを決定するサブチャネル決定モジュールと、
ｂ）各ＯＦＤＭサブキャリア上の信号対雑音レベルを検出し、ＯＦＤＭサブキャリアの信号対雑音レベルが前記サブチャネル決定モジュールにより決定されたエネルギー閾値を下回るか否かを決定することにより該ＯＦＤＭサブキャリアが利用可能か否かを決定し、利用可能なＯＦＤＭサブキャリアのセットを選択する信号対雑音レベル検出モジュールと、
ｃ）前記信号対雑音レベル検出モジュールにより前記セットについて選択されたサブキャリアの数が前記サブチャネル決定モジュールにより決定されたＯＦＤＭサブキャリアの最小個数を満たす場合、前記アプリケーションにより生成されるデータを前記サブキャリアのセットを介して送信する送信機であって、前記複数の計算装置のうち第２の計算装置における第２の送信機は、前記複数のＯＦＤＭサブキャリアのうち第２の異なるサブキャリアのセット上で送信を行う、送信機と、
ｄ）前記信号対雑音レベル検出モジュールにより前記セットについて選択されたサブキャリアの数が前記サブチャネル決定モジュールにより決定されたＯＦＤＭサブキャリアの最小個数を満たさない場合、前記データレートが達成不能であるという指示を前記アプリケーションに対して提供するメッセージングモジュールと
を備える、無線通信システム。
【請求項８】
前記信号対雑音レベル検出モジュールは、各ＯＦＤＭサブキャリアを連続して検査する、請求項７に記載の無線通信システム。
【請求項９】
前記信号対雑音レベル検出モジュールは、全てのＯＦＤＭサブキャリアを同時に検査する、請求項７に記載の無線通信システム。
【請求項１０】
前記計算装置のうち第１の計算装置における前記信号対雑音レベル検出モジュールは前記計算装置のうち第２の計算装置からのフィードバックに依拠する、請求項７に記載の無線通信システム。
【請求項１１】
前記計算装置のうち第１の計算装置は、前記計算装置のうち第２の計算装置に対して、前記第１の計算装置と前記第２の計算装置との間の通信に使用されるサブキャリアのリストを示す信号を送信する、請求項７に記載の無線通信システム。
【請求項１２】
コンピュータ可読信号が記憶されているコンピュータ可読記憶媒体であって、
前記コンピュータ可読信号は、コンピュータによって実行された結果として、無線通信の方法を前記コンピュータに実行するように指示する命令を規定し、前記方法は、
ａ）要求されるデータレートによる通信についてのアプリケーションからの要求を受信するステップと、
ｂ）前記要求されたデータレートを提供する、ＯＦＤＭサブチャネルの個数と、各サブチャネルの雑音閾値とを計算するステップと、
ｃ）前記閾値よりも低い雑音レベルを有するサブチャネルの個数が前記サブチャネルの個数より多い場合、雑音レベルが前記雑音閾値よりも低いＯＦＤＭサブチャネルのセットを選択するステップと、
ｄ）前記閾値よりも低い雑音レベルを有するサブチャネルの個数が前記サブチャネルの個数より少ない場合、アプリケーションに対して、前記要求されるデータレートが達成不能であるとの指示を提供するステップと
を含む、コンピュータ可読記憶媒体。
【請求項１３】
前記方法は、逆高速フーリエ変換アルゴリズムを使用して、前記選択されたＯＦＤＭサブチャネルによって使用される帯域幅全体にわたってデータを送信するステップをさらに含む、請求項１２に記載のコンピュータ可読記憶媒体。
【請求項１４】
前記方法は、高速フーリエ変換アルゴリズムを使用して、前記選択されたＯＦＤＭサブチャネルによって使用される帯域幅全体にわたってデータを受信するステップをさらに含む、請求項１２に記載のコンピュータ可読記憶媒体。
【請求項１５】
前記方法は、前記選択されたサブチャネルの識別情報を、前記コンピュータから、前記アプリケーションからのデータの受信機として動作する第２のコンピュータに送信するステップをさらに含む、請求項１２に記載のコンピュータ可読記憶媒体。
【請求項１６】
前記選択されたサブチャネルの前記識別情報の前記送信は、データの送信に使用される周波数とは異なる周波数において行われる、請求項１５に記載のコンピュータ可読記憶媒体。
【請求項１７】
前記無線通信は、直交振幅変調によって変調されたデータを送信する、請求項１２に記載のコンピュータ可読記憶媒体。
【請求項１８】
ステップｆ）における雑音のあるサブチャネルを放棄するステップは、その間に前記雑音のあるサブチャネルが放棄されるものとして指示される、ランダムに選択される時間インターバルを確立するステップを含み、
ステップｃ）におけるＯＦＤＭサブチャネルのセットを選択するステップは、サブチャネルが放棄されるものとして指示されるか否かに部分的に基づいてサブチャネルを選択するステップと、サブチャネルについての前記ランダムに選択される時間インターバルの終了まで、放棄されるものとして指示されるサブチャネルの選択を阻止するステップとを含む、請求項１に記載の方法。
【請求項１９】
雑音のあるＯＦＤＭサブキャリアの信号対雑音レベルが前記サブチャネル決定モジュールにより決定されるエネルギー閾値を超えると前記信号対雑音レベル検出モジュールが決定する場合、前記信号対雑音レベル検出モジュールは、その間に前記雑音のあるＯＦＤＭサブキャリアが放棄されるものとして指示される、ランダムに選択される時間インターバルを確立し、
前記信号対雑音レベル検出モジュールは、ＯＦＤＭサブキャリアについての前記ランダムに選択される時間インターバルの終了まで、放棄されるものとして指示されるＯＦＤＭサブキャリア上での信号対雑音レベルの検出を避ける、請求項７に記載の無線通信システム。